(57)【要約】【課題】装飾部材５３の円滑な動きが表示台枠カバー３７の反りの影響で阻害されることを防止すること。【解決手段】表示台枠カバー３７の成形時の反りに起因して左ケース支持部５０および右ケース支持部５１相互間の位置関係が左右方向へずれた場合にはブッシュ９４の位置が目標位置に対して左右方向へ変位することが許容され、表示台枠カバー３７の成形時の反りに起因して左ケース支持部５０および右ケース支持部５１相互間の位置関係が前後方向へずれた場合にはブッシュ９４の位置が目標位置に対して前後方向へ変位することが許容される。従って、表示台枠カバー３７からユニットケース５４を通して装飾部材５３の駆動機構に無理な方向の応力が作用することが抑えられるので、装飾部材５３の円滑な動きが表示台枠カバー３７の反りの影響で阻害されることを防止できる。【選択図】図５
2009233136.tif 000002
【特許請求の範囲】
【請求項１】
遊技球が転動することが可能な遊技領域を有する遊技盤と、
前記遊技盤に設けられ、前記遊技盤の遊技領域内を転動する遊技球が入球することが可能な始動口と、
前記遊技盤に設けられ、前記遊技盤の遊技領域内を転動する遊技球が入球することが可能な開放状態および入球することが不能な閉鎖状態相互間で切換えられる可変入球口と、
遊技球が前記始動口に入球することに基づいて前記可変入球口を開放状態にする大当りであるか否かを判定するメイン制御回路と、
前記遊技盤に設けられ、左板部と右板部と上板部と下板部を有するものであって左板部と右板部と上板部と下板部相互間に開口部が形成された合成樹脂製の支持枠と、
前記遊技盤に前記支持枠の前方に位置して設けられ、前記支持枠の開口部に前方から対向する開口部を有する装飾枠と、
前記メイン制御回路の判定結果を遊技者に報知する図柄遊技の映像が表示される表示領域を有するものであって、表示領域が前方から前記装飾枠の開口部を通して視覚的に認識可能となるように前記支持枠に支持された図柄表示器と、
前記支持枠の左板部と右板部と上板部と下板部のいずれかに設けられ、隙間を介して相互に対向する２つのケース支持部のそれぞれを前記支持枠の左板部と右板部と上板部と下板部のいずれかに形成する開口部からなるケース収納部と、
前記ケース収納部内に設けられ、複数の機械要素を相互に連結してなる駆動機構を支持するものであって前記支持枠の一方のケース支持部に移動不能に固定されたケースと、
前記駆動機構に駆動力を伝える電気的な駆動源と、
前記駆動源が前記駆動機構を介して動作させるものであって、前方から前記装飾枠の開口部を通して視覚的に認識可能となるように配置された可動部材と、
前記支持枠の他方のケース支持部に設けられ、前後方向へ指向する軸部と、
前後方向へ指向する円筒状をなすものであって、前記軸部の外周面に嵌合されたブッシュと、
前記ブッシュに前記支持枠とは反対側の一端部に位置して設けられ、前記ブッシュの外周面から突出するブッシュヘッドと、
前記ケースに設けられ、前記ブッシュが挿入された貫通孔状のブッシュ挿入口を有するものであって前記ブッシュヘッドに係合することに基づいて前記ブッシュから抜止めされる取付片を備え、
前記ブッシュ挿入口は、前記両ケース支持部相互間の配列方向に対して平行な長手方向の幅寸法が前記両ケース支持部相互間の配列方向に対して垂直な短手方向の幅寸法に比べて大きな長孔状をなすものであり、
前記ブッシュは、前記ブッシュの外周面および前記ブッシュ挿入口の内周面相互間に隙間が形成されるように外径寸法が前記ブッシュ挿入口の長手方向の幅寸法に比べて小さく設定されたものであって、前記取付片および前記ブッシュヘッド相互間または前記取付片および前記他方のケース支持部相互間に隙間が形成されるように前後方向の長さ寸法が前記取付片の前後方向の長さ寸法に比べて大きく設定されたものであることを特徴とするパチンコ遊技機。
【発明の詳細な説明】
【技術分野】
【０００１】
本発明は遊技球が始動口に入球することに基づいて大当りであるか否かを判定する構成のパチンコ遊技機に関する。
【背景技術】
【０００２】
上記パチンコ遊技機には遊技球が始動口に入球することに基づいて図柄表示器の表示領域内に図柄遊技の映像を表示する構成のものがある。この図柄遊技の映像は複数列の図柄要素のそれぞれを可変状態および可変停止状態で順に表示するものであり、遊技者には複数列の図柄要素の全てが可変停止した状態での複数列の図柄要素の組合せに応じて大当りであると判定されたか否かが報知される。この構成の場合、遊技盤に開口部を有する装飾枠が固定されており、装飾枠の後方には支持枠が配置されている。この支持枠は左板部と右板部と上板部と下板部を有する枠状をなすものであり、図柄表示器は前方から装飾枠の開口部を通して表示領域が視覚的に認識可能となるように支持枠に支持されている。この支持枠の下板部にはケース収納部が形成されている。このケース収納部は左右方向に相互に対向する２つのケース支持部を支持枠の下板部に形成する開口部からなるものであり、支持枠にはケース収納部内に位置してケースが固定されている。このケースは駆動機構を支持するものであり、駆動機構には可動部材が連結されている。この可動部材は前方から装飾枠の開口部を通して視覚的に認識可能となるように配置されたものであり、図柄表示器の表示領域内に図柄遊技の映像が表示されている図柄遊技中には電気的な駆動源が駆動機構を介して可動部材を動作させることに基づいて図柄遊技の映像を視覚的に演出する。
【特許文献１】特開２００７−８２７５７号公報
【発明の開示】
【発明が解決しようとする課題】
【０００３】
上記パチンコ遊技機の場合には支持枠の両ケース支持部のそれぞれに前後方向へ指向する筒状のボス部が形成されており、両ボス部のそれぞれの内周面にケースのネジ挿入孔を通してネジを螺合することに基づいてケースが支持枠のケース収納部内に固定されている。この支持枠は合成樹脂を材料に成形されたものであり、両ボス部相互間の位置関係が支持枠の反りに起因して設計値からずれる傾向にある。これら両ボス部相互間の位置関係が設計値からずれた場合には支持枠を弾性的に撓ませることに基づいて支持枠の両ボス部のそれぞれをケースのネジ挿入孔に合せ、両ボス部内のそれぞれに支持枠の弾性変形状態でネジが螺合される。このため、支持枠の両ボス部のそれぞれからネジを通してケースに支持枠の弾性復元力が作用するので、支持枠の弾性復元力がケースから駆動機構に伝わってしまう。この駆動機構は複数の機械要素相互間を連結することから構成されたものであり、駆動機構に支持枠の弾性復元力が作用したときには複数の機械要素のそれぞれに機械要素の動作方向とは異なる異方向の無理な応力が作用する虞があるので、可動部材の円滑な動きが阻害される可能性がある。
【０００４】
本発明は上記事情に鑑みてなされたものであり、可動部材の円滑な動きが支持枠の反りの影響で阻害されることを防止できるパチンコ遊技機を提供することを目的とするものである。
【課題を解決するための手段】
【０００５】
請求項１記載のパチンコ遊技機は［１］遊技盤〜［１５］取付片を備えたところに特徴を有する。
［１］遊技盤は遊技球が転動することが可能な遊技領域を有するものである。図３の符号２２は遊技盤に相当し、図３の符号２７は遊技領域に相当する。
［２］始動口は遊技盤に設けられたものであり、遊技盤の遊技領域内を転動する遊技球が入球することが可能なものである。図３の符号２９は始動口に相当する。
［３］可変入球口は遊技盤に設けられたものであり、遊技盤の遊技領域内を転動する遊技球が入球することが可能な開放状態および入球することが不能な閉鎖状態相互間で切換えられるものである。図３の特別入賞口３０は可変入球口に相当する。
［４］メイン制御回路は遊技球が始動口に入球することに基づいて可変入球口を開放状態にする大当りであるか否かを判定するものである。
［５］支持枠は遊技盤に設けられたものであり、合成樹脂を材料に成形されている。この支持枠は左板部と右板部と上板部と下板部を有するものであり、左板部と右板部と上板部と下板部相互間には開口部が形成されている。図４の表示台枠カバー３７は支持枠に相当するものであり、符号３８は左板部に相当し、符号３９は右板部に相当し、符号４０は上板部に相当し、符号４１は下板部に相当し、符合４２は開口部に相当する。
［６］装飾枠は遊技盤に支持枠の前方に位置して設けられたものであり、支持枠の開口部に前方から対向する開口部を有している。図３の表示台枠３４は装飾枠に相当するものであり、符号３５は装飾枠３４の開口部に相当する。
［７］図柄表示器はメイン制御回路の判定結果を遊技者に報知する図柄遊技の映像が表示される表示領域を有するものであり、表示領域が前方から装飾枠の開口部を通して視覚的に認識可能となるように支持枠に支持されている。図３の符号４３は図柄表示器に相当するものであり、図３の符号４４は図柄表示器４３の表示領域に相当する。
［８］ケース収納部は支持枠の左板部と右板部と上板部と下板部のいずれかに設けられたものであり、隙間を介して相互に対向する２つのケース支持部のそれぞれを支持枠の左板部と右板部と上板部と下板部のいずれかに形成する開口部からなるものである。図４の符号４９はケース収納部に相当し、図４の左ケース支持部５０および図４の右ケース支持部５１のそれぞれはケース収納部４９を介して相互に対向するケース支持部に相当する。
［９］ケースはケース収納部内に設けられたものである。このケースは支持枠の一方のケース支持部に移動不能に固定されたものであり、ケースには複数の機械要素を相互に連結することから構成された駆動機構が支持されている。図５のユニットケース５４はケースに相当する。図６の符号９８は駆動機構に相当するものであり、図６のシャフト６４と図６の左アーム６５と図６の右アーム６６と図６のスライドプレート７２と図７の左カムピン７７と図７の右カムピン７８と図７の左カム溝８０と図７の右カム溝８２のそれぞれは駆動機構９８を構成する機械要素に相当する。
［１０］駆動源は駆動機構に駆動力を伝える電気的なものであり、図６の電磁ソレノイド５８は駆動源に相当する。
［１１］可動部材は駆動源が駆動機構を介して動作させるものであり、前方から装飾枠の開口部を通して視覚的に認識可能となるように配置されている。図４の装飾部材５３は可動部材に相当する。
［１２］軸部は支持枠の他方のケース支持部に設けられたものであり、前後方向へ指向するものである。図５の右ボス部８７は軸部に相当する。
［１３］ブッシュは前後方向へ指向する円筒状をなすものであり、軸部の外周面に嵌合されている。図５の符号９４はブッシュに相当する。
［１４］ブッシュヘッドはブッシュに支持枠とは反対側の一端部に位置して設けられたものであり、ブッシュの外周面から突出するものである。図５の符号９５はブッシュヘッドに相当する。
［１５］取付片はケースに設けられたものである。この取付片はブッシュが挿入された貫通孔状のブッシュ挿入口を有するものであり、ブッシュヘッドに係合することに基づいてブッシュから抜止めされる。このブッシュ挿入口は両ケース支持部相互間の配列方向に対して平行な長手方向の幅寸法が両ケース支持部相互間の配列方向に対して垂直な短手方向の幅寸法に比べて大きな長孔状をなすものであり、ブッシュはブッシュの外周面およびブッシュ挿入口の内周面相互間に隙間が形成されるように外径寸法がブッシュ挿入口の長手方向の幅寸法に比べて小さく設定され、取付片およびブッシュヘッド相互間または取付片および他方のケース支持部相互間に隙間が形成されるように前後方向の長さ寸法が取付片の前後方向の長さ寸法に比べて大きく設定されている。このため、支持枠の成形時の反りに起因して支持枠の両ケース支持部相互間の位置関係が両ケース支持部相互間の配列方向へずれた場合にはブッシュの位置がブッシュの外周面およびブッシュ挿入口の内周面相互間の隙間の範囲内で目標位置からずれることに基づいて支持枠の同方向の反りが吸収され、支持枠の成形時の反りに起因して両ケース支持部相互間の位置関係が前後方向へずれた場合にはブッシュの位置が取付片およびブッシュヘッド相互間の隙間の範囲内または取付片およびケース支持部相互間の隙間の範囲内で目標位置からずれることに基づいて支持枠の同方向の反りが吸収されるので、いずれの場合にも支持枠を弾性的に撓ませることに基づいてケースを支持枠の両ケース支持部のそれぞれに無理に固定する必要性が乏しくなる。従って、支持枠の弾性復元力がケースから駆動機構の複数の機械要素のそれぞれに伝わり難くなるので、複数の機械要素のそれぞれに動作方向とは異なる異方向の無理な応力が作用することに基づいて可動部材の円滑な動きが阻害されることを防止できる。図５の右取付片９２は取付片に相当し、図５の符号９３はブッシュ挿入口に相当する。
【発明を実施するための最良の形態】
【０００６】
【実施例１】
【０００７】
外枠１は、図１に示すように、前面および後面のそれぞれが開口する四角筒状をなすものであり、上下方向へ指向する左側板と上下方向へ指向する右側板と左右方向へ指向する上板と左右方向へ指向する下板を相互に接合することから構成されている。この外枠１はパチンコホールの台島に設置されるものであり、外枠１の左側板には上金具２および下金具３のそれぞれが固定されている。この上金具２には上下方向へ指向する円柱状の上軸４が固定されており、下金具３には上下方向へ指向する円柱状の下軸５が固定されている。これら上軸４および下軸５のそれぞれは軸心線ＣＬが相互に共通の垂直線上に配置されたものであり、外枠１には下金具３の下方に位置して横長な長方形状の化粧板６が固定されている。
【０００８】
外枠１には、図２に示すように、化粧板６の上方に位置して内枠７が装着されている。この内枠７は上軸４および下軸５の双方を中心に閉鎖状態および開放状態相互間で回動操作されるものであり、内枠７の閉鎖状態とは内枠７が前方から外枠１に接触した状態を称する。この内枠７の開放状態とは内枠７が上軸４および下軸５の双方を中心に閉鎖状態に比べて前方へ回動した状態を称するものであり、内枠７は内枠ロック機構を介して閉鎖状態にロックされている。
【０００９】
内枠７には、図１に示すように、前枠８が装着されている。この前枠８は上軸４および下軸５の双方を中心に閉鎖状態および開放状態相互間で回動操作されるものであり、前枠８の閉鎖状態とは前枠８が前方から内枠７に接触した状態を称する。この前枠８の開放状態とは前枠８が上軸４および下軸５の双方を中心に閉鎖状態に比べて前方へ回動した状態を称するものであり、前枠８は前枠ロック機構を介して閉鎖状態にロックされている。この前枠８には開口部９が形成されている。この開口部９は円形状の貫通孔を称するものであり、前枠８には開口部９を塞ぐ透明なガラス製の窓１０が固定されている。この前枠８には窓１０の下方に位置して上皿１１が固定されている。この上皿１１は賞品として払出される遊技球を受けるものであり、上面が開口する容器状をなしている。
【００１０】
内枠７には、図１に示すように、前枠８の下方に位置して下皿板１２が固定されている。この下皿板１２は横長な長方形状をなすものであり、下皿板１２には下皿１３が固定されている。この下皿１３は上皿１１内から溢れた遊技球を受けるものであり、上面が開口する容器状をなしている。この下皿板１２には下皿１３の右方に位置してハンドル台１４が固定されており、ハンドル台１４には発射ハンドル１５が前後方向へ指向する軸１６を中心に回動可能に装着されている。この発射ハンドル１５は遊技者が前方から手指で操作するものであり、発射停止位置および発射位置相互間で軸１６を中心に回動操作される。
【００１１】
内枠７には、図２に示すように、機構板１７が固定されている。この機構板１７は前枠８の閉鎖状態で前枠８に後方から対向するものであり、機構板１７にはロータリーソレノイドからなる発射ソレノイド１８が固定されている。この発射ソレノイド１８は発射ハンドル１５が発射停止位置に保持されている遊技停止状態で電気的にオフされるものであり、発射ハンドル１５が発射停止位置から発射位置側へ回動操作されている遊技状態で電気的にオンされる。この発射ソレノイド１８の出力軸には打球槌が連結されており、発射ソレノイド１８は電気的なオン状態で打球槌を待機位置および打球位置相互間で往復的に移動操作する。
【００１２】
内枠７の機構板１７には、図２に示すように、発射レール１９が固定されている。この発射レール１９は発射ソレノイド１８の電気的なオン状態で上皿１１内から遊技球が１個単位で移送されるものであり、右から左に向けて上昇する傾斜状をなしている。この発射レール１９の右端部には球止め板２０が形成されており、球止め板２０には遊技球が通過することが不能な大きさの貫通孔が形成されている。この球止め板２０は上皿１１内から発射レール１９に移送された遊技球が発射レール１９の右端部から転落することを防止するものであり、打球槌は待機位置から打球位置に移動することに基づいて球止め板２０が転落不能に支持する遊技球を球止め板２０の貫通孔を通して右から左に向けて叩き、発射レール１９に沿って右から左に向けて転動させる。
【００１３】
内枠７には、図２に示すように、機構板１７の上方に位置して遊技盤収納部２１が形成されている。この遊技盤収納部２１は前面が開口する凹状をなすものであり、遊技盤収納部２１内には、図３に示すように、垂直な板状の遊技盤２２が収納されている。この遊技盤２２には内レール２３と外レール２４と球止めゴム２５が固定されている。内レール２３は上面が開口する円弧状をなすものであり、外レール２４は内レール２３の外周部に配置された円弧状をなすものであり、球止めゴム２５は内レール２３の右端部および外レール２４の右端部相互間の隙間を塞いでいる。これら内レール２３および外レール２４相互間には左側部に位置して発射通路２６が形成されている。この発射通路２６は下端部および上端部のそれぞれが開口する円弧状をなすものであり、発射レール１９の左端部から発射された遊技球は発射通路２６の下端部の入口を通って発射通路２６内に進入する。この発射通路２６内に進入した遊技球は発射通路２６に沿って円弧状の軌跡を描きながら上昇し、発射通路２６の上端部の出口から放出される。
【００１４】
遊技盤２２には、図３に示すように、発射通路２６の右方に隣接して遊技領域２７が形成されている。この遊技領域２７は内レール２３と外レール２４と球止めゴム２５によって囲まれた領域のうち発射通路２６を除く残りの円形状の領域を称するものであり、発射通路２６の出口から放出された遊技球が転動することが可能な最大範囲に相当する。遊技盤２２には遊技領域２７内に位置して複数の障害釘２８が固定されており、発射通路２６の出口から遊技領域２７内に放出された遊技球は障害釘２８に当りながら遊技領域２７内を落下する。この遊技領域２７は前枠８の閉鎖状態で前枠８の窓１０が前方から対向するものであり、前枠８の閉鎖状態で前方から窓１０を通して視覚的に認識可能にされている。
【００１５】
遊技盤２２には、図３に示すように、遊技領域２７内に位置して始動口２９が固定されている。この始動口２９は上面が開口するポケット状をなすものであり、遊技領域２７内を転動する遊技球は始動口２９内に始動口２９の上面から入賞可能にされている。この始動口２９内には始動口センサが固定されている。この始動口センサは始動口センサの検出領域内に金属物が進入することに基づいて発振状態が変化する近接スイッチからなるものであり、遊技球が始動口２９内に入賞したときには始動口センサの発振状態が変化することに基づいて始動口センサから始動信号が出力される。
【００１６】
始動口センサはメイン制御回路に接続されている。このメイン制御回路はＣＰＵとＲＯＭとＲＡＭを有するものであり、始動口センサから始動信号が出力されたと判断することに基づいて大当りカウンタの現在の計測値を検出する。この大当りカウンタはメイン制御回路が一定時間（例えば４ｍｓｅｃ）が経過する毎に単位値（例えば「１」）だけ更新するものであり、大当りカウンタの更新処理は予め決められた下限値（例えば「０」）を基準に予め決められた上限値（例えば「１００」）まで加算された後に下限値に戻して循環的に行われる。このメイン制御回路は大当りカウンタの検出結果を予め決められた大当り値（例えば「７」）と比較するものであり、大当りカウンタの検出結果が大当り値と同一である場合に大当りであると判定し、大当りカウンタの検出結果が大当り値と相違している場合に大当りではない外れであると判定する。
【００１７】
メイン制御回路には表示制御回路が接続されており、メイン制御回路は大当りであると判定したときには表示制御回路に大当りコマンドを送信し、外れであると判定したときには表示制御回路に外れコマンドを送信する。この表示制御回路はＣＰＵとＲＯＭとＲＡＭを有するものであり、大当りコマンドを受信したときには装飾図柄を大当りの組合せに設定し、外れコマンドを受信したときには装飾図柄を外れの組合せに設定する。この装飾図柄は左列の図柄要素と中列の図柄要素と右列の図柄要素の組合せからなるものであり、大当りの組合せとは左列の図柄要素と中列の図柄要素と右列の図柄要素のそれぞれが相互に同一な組合せを称し、外れの組合せとは左列の図柄要素と中列の図柄要素と右列の図柄要素のそれぞれが相互に同一ではない組合せを称する。
【００１８】
遊技盤２２には、図３に示すように、遊技領域２７内に位置して特別入賞口３０が固定されている。この特別入賞口３０は前面が開口する横長な箱状をなすものであり、特別入賞口３０には扉３１が左右方向へ指向する軸３２を中心に回動可能に装着されている。この扉３１は特別入賞口ソレノイドの出力軸に連結されており、特別入賞口ソレノイドの電気的なオフ状態で垂直な閉鎖状態になることに基づいて特別入賞口３０の前面を遊技球が入賞不能に閉鎖する。この扉３１は特別入賞口ソレノイドの電気的なオン状態で前方へ水平に倒れた開放状態に回動するものであり、扉３１の開放状態では遊技領域２７内を転動する遊技球が扉３１に乗って特別入賞口３０内に転がり込むことが許容される。遊技盤２２には貫通孔状のアウト口３３が形成されている。このアウト口３３は内レール２３の最低部に配置されたものであり、始動口２９内および特別入賞口３０内のいずれにも入賞しなかった遊技球は内レール２３に沿って転動することに基づいてアウト口３３内に進入し、アウト口３３を通して遊技盤２２の前方から後方に排出される。
【００１９】
遊技盤２２には遊技領域２７内に位置して開口部が形成されており、遊技盤２２の開口部内には、図３に示すように、前方から表示台枠３４が挿入されている。この表示台枠３４は開口部３５を有する枠状をなすものであり、有色不透明な合成樹脂を材料に成形されている。この表示台枠３４にはフランジ部３６が形成されている。このフランジ部３６は表示台枠３４を取囲む環状をなすものであり、表示台枠３４は前方からフランジ部３６を通して遊技盤２２に複数のネジのそれぞれを螺合することに基づいて遊技盤２２に固定されている。
【００２０】
遊技盤２２には、図４に示すように、表示台枠３４の後方に位置して合成樹脂製の表示台枠カバー３７が固定されている。この表示台枠カバー３７は遊技盤２２の後方に配置されたものであり、上下方向へ指向する左板部３８と上下方向へ指向する右板部３９と左右方向へ指向する上板部４０と左右方向へ指向する下板部４１を有している。この表示台枠カバー３７は左板部３８と右板部３９と上板部４０と下板部４１相互間に開口部４２を有する枠状をなすものであり、開口部４２が表示台枠３４の開口部３５に後方から対向するように配置されている。
【００２１】
表示台枠カバー３７には、図３に示すように、後方から図柄表示器４３が固定されている。この図柄表示器４３はカラー液晶表示器からなるものであり、横長な長方形状の表示領域４４を有している。この表示領域４４は液晶パネルからなるものであり、図柄表示器４３は表示領域４４が前枠８の閉鎖状態で前方から前枠８の窓１０と表示台枠３４の開口部３５と表示台枠カバー３７の開口部４２のそれぞれを通して視覚的に認識可能となるように配置されている。この図柄表示器４３は表示制御回路に接続されており、表示制御回路は装飾図柄を設定したときには図柄表示器４３の表示領域４４内に装飾図柄遊技の映像の表示を開始する。
【００２２】
装飾図柄遊技の映像は図柄表示器４３の表示領域４４内に左列の図柄要素と中列の図柄要素と右列の図柄要素のそれぞれを可変状態および可変停止状態で順に表示するものであり、左列の図柄要素〜右列の図柄要素のそれぞれの可変表示は８種類の図柄要素「１」「２」「３」「４」「５」「６」「７」「８」を予め決められた順序「１」→「２」→「３」→「４」→「５」→「６」→「７」→「８」→「１」・・・で循環的に変化させることで行われる。この装飾図柄遊技の映像では左列の図柄要素が１番目に可変停止し、右列の図柄要素が２番目に可変停止し、中列の図柄要素が３番目に可変停止する。これら左列の図柄要素〜中列の図柄要素のそれぞれの停止表示は装飾図柄が設定結果に応じた組合せで表示されるように行われるものであり、メイン制御回路が大当りであると判定したときには最終の中列の図柄要素が停止表示された時点で図柄表示器４３の表示領域４４内に装飾図柄が大当りの組合せで表示され、メイン制御回路が外れであると判定したときには最終の中列の図柄要素が停止表示された時点で図柄表示器４３の表示領域４４内に装飾図柄が外れの組合せで表示される。
【００２３】
特別入賞口３０の特別入賞口ソレノイドはメイン制御回路に接続されており、メイン制御回路は大当りであると判定したときには特別入賞口ソレノイドを電気的なオフ状態から電気的なオン状態に切換えることに基づいて特別入賞口３０の扉３１を閉鎖状態から開放状態に回動操作する。この扉３１の開放操作は図柄表示器４３の表示領域４４内に装飾図柄が大当りの組合せで表示された後に開始されるものであり、メイン制御回路は外れであると判定したときには特別入賞口ソレノイドを電気的なオフ状態から電気的なオン状態に切換えることなく特別入賞口３０の扉３１を閉鎖状態に保持する。
【００２４】
表示台枠３４には、図３に示すように、開口部３５内に位置して装飾部材４５が固定されている。この装飾部材４５は高層建築物を模した縦長なものであり、前方から見て図柄表示器４３の表示領域４４の右方に配置されている。この装飾部材４５は有色不透明な合成樹脂を材料とするものであり、表示台枠カバー３７の右板部３９は後方から装飾部材４５を覆っている。表示台枠３４には開口部３５内に位置して有色透明な合成樹脂製のレンズ４６が固定されている。このレンズ４６は装飾部材４５の右方に配置されたものであり、表示台枠カバー３７の右板部３９は後方からレンズ４６を覆っている。
【００２５】
表示台枠カバー３７の右板部３９には、図４に示すように、レンズ４６の後方に位置して電飾基板４７が固定されており、電飾基板４７の前面には複数のＬＥＤ４８が搭載されている。これら複数のＬＥＤ４８のそれぞれは電飾制御回路に接続されている。この電飾制御回路は装飾図柄遊技で複数のＬＥＤ４８のそれぞれに予め決められた電飾パターンで駆動電源を印加するものであり、複数のＬＥＤ４８のそれぞれは電飾制御回路から駆動電源が印加されることに基づいて電飾パターンに応じた内容で前方へ光を投射し、レンズ４６を電飾パターンに応じた内容で照明する。
【００２６】
表示台枠カバー３７の下板部４１には、図４に示すように、ケース収納部４９が形成されている。このケース収納部４９は表示台枠カバー３７の下板部４１を左方の左ケース支持部５０および右方の右ケース支持部５１に分断する開口部を称するものであり、左ケース支持部５０および右ケース支持部５１はケース収納部４９を挟んで左右方向に相互に対向している。この表示台枠カバー３７のケース収納部４９内には演出ユニット５２が固定されている。この演出ユニット５２は「たこ焼き」の表面形状を模した３個の装飾部材５３のそれぞれを動かすことに基づいて装飾図柄遊技の映像を視覚的に演出するものであり、次のように構成されている。
【００２７】
ユニットケース５４は、図５に示すように、後面が開口する横長な長方形状をなすものであり、左側板と右側板と上板と下板と前板を有している。このユニットケース５４には後方からユニットカバー５５が固定されている。このユニットカバー５５はユニットケース５４の後面を閉鎖する横長な長方形状の板からなるものであり、後方から複数のネジのそれぞれをユニットカバー５５を通してユニットケース５４に螺合することに基づいてユニットケース５４に着脱可能に固定されている。このユニットカバー５５には３個のソレノイドケース５６のそれぞれが左右方向に相互に間隔を置いて固定されている。これら３個のソレノイドケース５６のそれぞれは、図６に示すように、前面と後面と上面のそれぞれが開口するコ字枠状をなすものであり、図５に示すように、ユニットケース５４の内部に収納されている。
【００２８】
３個のソレノイドケース５６のそれぞれの上端部には、図６に示すように、水平な板状のソレノイド台５７が固定されており、３個のソレノイド台５７のそれぞれには電磁ソレノイド５８が吊持されている。これら３個の電磁ソレノイド５８のそれぞれはソレノイドケース５６内に収納されたものであり、上下方向へ指向する円柱状のプランジャ５９を有している。これら３個の電磁ソレノイド５８のそれぞれはユニットケース５４の内部に収納されたものであり、ユニットケース５４の前板には、図４に示すように、３個の電磁ソレノイド５８のそれぞれの前方に位置して放熱用の前放熱孔６０が形成され、ユニットカバー５５には、図５に示すように、３個の電磁ソレノイド５８のそれぞれの後方に位置して放熱用の後放熱孔６１が形成されている。
【００２９】
３個の電磁ソレノイド５８のそれぞれのプランジャ５９は、図６に示すように、退避位置および突出位置相互間で上下方向へ直線的に移動可能にされている。これら３個のプランジャ５９のそれぞれの退避位置とは電磁ソレノイド５８側に下降した位置であり、３個のプランジャ５９のそれぞれは電磁ソレノイド５８の電気的なオン状態で退避位置に移動する。これら３個のプランジャ５９のそれぞれの突出位置とは電磁ソレノイド５８とは反対側に上昇した位置であり、３個のプランジャ５９のそれぞれは電磁ソレノイド５８の電気的なオフ状態で突出位置に移動する。これら３個のプランジャ５９のそれぞれにはソレノイド台５７の上方に位置してプランジャヘッド６２が固定されており、３個のプランジャヘッド６２のそれぞれにはスリット６３が形成されている。これら３本のスリット６３のそれぞれは左右方向へ指向する直線状をなすものであり、３本のスリット６３内のそれぞれにはピンが挿入されている。これら３本のピンのそれぞれは前後方向へ指向する円柱状をなすものであり、スリット６３の内面に沿って左右方向へ直線的に移動可能にされている。
【００３０】
ユニットカバー５５には、図６に示すように、３個のプランジャヘッド６２のそれぞれの右方に位置してシャフト６４が装着されている。これら３本のシャフト６４のそれぞれは前後方向へ指向する円柱状をなすものであり、前後方向へ指向する軸心線を中心に回転可能にされている。これら３本のシャフト６４のそれぞれには左アーム６５が固定されている。これら３本の左アーム６５のそれぞれはスリット６３内のピンに連結されたものであり、電磁ソレノイド５８が電気的にオンオフされることに基づいてシャフト６４を中心に回動する。これら３本のシャフト６４のそれぞれには右アーム６６が固定されている。これら３本の右アーム６６のそれぞれは電磁ソレノイド５８が電気的にオンオフされることに基づいて左アーム６５と共にシャフト６４を中心に回動するものであり、３本の右アーム６６のそれぞれにはスリット６７が形成されている。これら３本のスリット６７のそれぞれは右アーム６６に沿って延びる直線状をなすものであり、右アーム６６の先端側の一面が開口している。
【００３１】
ユニットカバー５５には、図６に示すように、電磁ソレノイド５８の右方に位置してガイドレール６８が形成されている。これら３個のガイドレール６８のそれぞれはユニットカバー５５から前方へ突出するものであり、上下方向へ指向する直線状の左レール部６９と上下方向へ指向する直線状の右レール部７０と左右方向へ指向する直線状の底レール部７１を有している。これら３個のガイドレール６８のそれぞれの左レール部６９は右レール部７０に隙間を介して対向するものであり、３個のガイドレール６９のそれぞれには左レール部６９および右レール部７０相互間に位置してスライドプレート７２が挿入されている。これら３個のスライドプレート７２のそれぞれは左レール部６９および右レール部７０の双方に沿って上下方向へ直線的に移動可能にされたものであり、３個のスライドプレート７２のそれぞれには前後方向へ指向する円柱状の操作軸７３が固定されている。
【００３２】
３個の右アーム６６のそれぞれのスリット６７内には、図６に示すように、操作軸７３が挿入されおり、３個の電磁ソレノイド５８のそれぞれの電気的なオフ状態ではプランジャ５９が突出位置に上昇することに基づいて左アーム６５および右アーム６６の双方が左から右に向けて下降する傾斜状態にシャフト６４を中心に回動し、３個のスライドプレート７２のそれぞれが左アーム６５および右アーム６６の双方を介してガイドレール６８の底レール部７１に上方から接触した下降位置に操作される。これら３個の電磁ソレノイド５８のそれぞれの電気的なオン状態ではプランジャ５９が退避位置に下降することに基づいて左アーム６５および右アーム６６の双方が左から右に向けて上昇する傾斜状態にシャフト６４を中心に回動し、３個のスライドプレート７２のそれぞれが左アーム６５および右アーム６６の双方を介してガイドレール６８の底レール部７１から上方に離間した上昇位置に操作される。
【００３３】
３個のスライドプレート７２のそれぞれの上端部には、図６に示すように、装飾部材５３が装着されている。これら３個の装飾部材５３のそれぞれは左装飾部７４および右装飾部７５を有するものであり、３個の左装飾部７４のそれぞれはスライドプレート７２に前後方向へ指向する軸７６を介して回動可能に装着され、３個の右装飾部７５のそれぞれはスライドプレート７２に左装飾部７４と共通の軸７６を介して回動可能に装着されている。これら３個の左装飾部７４および３個の右装飾部７５のそれぞれは前方から見て扇形状をなすものであり、３個の左装飾部７４のそれぞれには、図７に示すように、前後方向へ指向する円柱状の左カムピン７７が固定され、３個の右装飾部７５のそれぞれには前後方向へ指向する円柱状の右カムピン７８が固定されている。
【００３４】
ユニットカバー５５には、図７に示すように、３個の左プレート７９が形成されている。これら３個の左プレート７９のそれぞれはスライドプレート７２の左方に配置されたものであり、３個の左プレート７９のそれぞれには左カム溝８０が形成されている。これら３個の左カム溝８０内のそれぞれには左装飾部７４の左カムピン７７が挿入されており、３本の左カムピン７７のそれぞれはスライドプレート７２が下降位置に移動した電磁ソレノイド５８の電気的なオフ状態で左カム溝８０内の下端部に操作される。
【００３５】
ユニットカバー５５には、図７に示すように、３個の右プレート８１が形成されている。これら３個の右プレート８１のそれぞれはスライドプレート７２を挟んで左プレート７９に対向配置されたものであり、３個の右プレート８１のそれぞれには右カム溝８２が形成されている。これら３個の右カム溝８２のそれぞれは左カム溝８０に対して線対象な形状を有するものであり、３個の右カム溝８２のそれぞれの対象軸はスライドプレート７２の左右方向の中心点を通る垂直線に設定されている。これら３個の右カム溝８２内のそれぞれには右装飾部７５の右カムピン７８が挿入されており、３個の右カムピン８２のそれぞれはスライドプレート７２が下降位置に移動した電磁ソレノイド５８の電気的なオフ状態で右カム溝８２内の下端部に操作される。これら３個の電磁ソレノイド５８のそれぞれの電気的なオフ状態では左装飾部７４および右装飾部７５相互間が接触し、図４に示すように、３個の装飾部材５３のそれぞれが前方から見て円形な閉鎖形状になる。
【００３６】
３個の左カム溝８０のそれぞれは、図７に示すように、左カムピン７７が上方へ移動しながら装飾部材５３の軸７６を中心に円周方向へ移動することを許容するものであり、３個の左カムピン７７のそれぞれは電磁ソレノイド５８が電気的なオフ状態からオン状態に切換ることに基づいて左カム溝８０の内面に沿って移動し、左装飾部７４を上方へ移動操作しながら軸７６を中心に反時計回り方向へ回動操作する。３個の右カム溝８２のそれぞれは右カムピン７８が上方へ移動しながら装飾部材５３の軸７６を中心に円周方向へ移動することを許容するものであり、３個の右カムピン７８のそれぞれは電磁ソレノイド５８が電気的なオフ状態からオン状態に切換ることに基づいて右カム溝８２の内面に沿って移動し、右装飾部７５を上方へ移動操作しながら軸７６を中心に時計回り方向へ回動操作する。これら３個の電磁ソレノイド５８のそれぞれのオン状態では左装飾部７４および右装飾部７５相互間が離間し、３個の装飾部材５３のそれぞれが前方から見て円形状とは異なる開放形状になる。図６の駆動機構９８は電磁ソレノイド５８を駆動源として装飾部材５３を閉鎖形状および開放形状相互間で動かすものであり、シャフト６４と左アーム６５と右アーム６６とスライドプレート７２と左カムピン７７と右カムピン７８と左カム溝８０と右カム溝８２を有している。
【００３７】
３個の電磁ソレノイド５８のそれぞれは表示制御回路に接続されており、表示制御回路は装飾図柄遊技で３個の電磁ソレノイド５８のそれぞれをオンオフすることに基づいて３個の装飾部材５３のそれぞれを開放形状および閉鎖形状相互間で動作させ、装飾図柄遊技の映像を３個の装飾部材５３を使用して視覚的に演出する。これら３個の装飾部材５３のそれぞれは、図３に示すように、電磁ソレノイド５８が電気的なオフ状態にある場合および電磁ソレノイド５８が電気的なオン状態にある場合の双方で図柄表示器４３の表示領域４４に前方から対向するものであり、前枠８の閉鎖状態で前方から前枠８の窓１０および表示台枠３４の開口部３５のそれぞれを通して視覚的に認識可能にされている。
【００３８】
表示台枠カバー３７の下板部４１には、図５に示すように、左ケース支持部５０に位置して左ボス部８３が形成されている。この左ボス部８３は左ケース支持部５０から前方へ突出するものであり、前面が開口する円筒状をなしている。この左ケース支持部５０には左ガイド部８４が形成されている。この左ガイド部８４は左ケース支持部５０から前方へ突出するものであり、図４に示すように、左ボス部８３に下方から隙間を介して対向する直線状の壁部８５および左ボス部８３に左方および上方のそれぞれから隙間を介して対向する壁部８６を有している。表示台枠カバー３７の下板部４１には、図５に示すように、右ケース支持部５１に位置して右ボス部８７が形成されている。この右ボス部８７は右ケース支持部５１から前方へ突出するものであり、左ボス部８３に比べて前後方向の長さ寸法が小さな円筒状をなしている。
【００３９】
ユニットケース５４には、図５に示すように、左取付片８８が形成されており、左取付片８８には円形状のネジ挿入孔８９が形成されている。この左取付片８８はユニットケース５４から左方へ突出する板状をなすものであり、左取付片８８には位置決め片９０が形成されている。この位置決め片９０は左取付片８８から後方へ突出する壁状をなすものであり、左取付片８８は位置決め片９０が左ボス部８３および左ガイド部８４相互間の隙間に前方から嵌合されることに基づいて表示台枠カバー３７の目標位置に移動不能に位置決めされている。この左取付片８８のネジ挿入孔８９は左取付片８８が目標位置に位置決めされることに基づいて表示台枠カバー３７の左ボス部８３に前方から対向するものであり、左取付片８８は前方から左取付片８８のネジ挿入孔８９を通して左ボス部８３の内周面にネジ９１を螺合することに基づいて左ケース支持部５０の左ボス部８３に前後方向と左右方向と上下方向のそれぞれに移動不能に固定されている。
【００４０】
ユニットケース５４には、図５に示すように、右取付片９２が形成されている。この右取付片９２は左取付片８８に比べて前後方向の厚さ寸法が大きな板状をなすものであり、ユニットケース５４から右方へ突出している。この右取付片９２にはブッシュ挿入口９３が形成されている。このブッシュ挿入口９３は左右方向の幅寸法Ｗ１が上下方向の幅寸法Ｗ２に比べて大きな長孔からなるものであり、ブッシュ挿入口９３の左右方向の幅寸法Ｗ１および上下方向の幅寸法Ｗ２のそれぞれは右ケース支持部５１の右ボス部８７の外径寸法Ｒ１に比べて大きく設定されている。
【００４１】
ブッシュ挿入口９３内には、図５に示すように、前方から円筒状のブッシュ９４が挿入されており、ブッシュ９４は右ケース支持部５１の右ボス部８７の外周面に前方から接触状態で嵌合されている。このブッシュ９４の外径寸法Ｒ２はブッシュ挿入口９３の上下方向の幅寸法Ｗ２と同一値に設定されており、ブッシュ９４の外周面およびブッシュ挿入口９３の内周面相互間はユニットケース５４が右ケース支持部５１に対して上下方向へ移動することを禁止するように相互に接触している。このブッシュ９４の外径寸法Ｒ２はブッシュ挿入口９３の左右方向の幅寸法Ｗ１に比べて小さく設定されており、ブッシュ９４の外周面およびブッシュ挿入口９３の内周面相互間には右ケース支持部５１の右ボス部８７が表示台枠カバー３７の成形時の反りで左方および右方のそれぞれに変位することを許容する隙間が形成されている。
【００４２】
ブッシュ９４には、図５に示すように、ブッシュヘッド９５が形成されている。このブッシュヘッド９５はブッシュ９４のうち右ケース支持部５１とは反対側の前端部に配置されたものであり、ブッシュ９４の前面を閉鎖する円板状をなしている。このブッシュヘッド９５の外径寸法Ｒ３はブッシュ挿入口９３の上下方向の幅寸法Ｗ２およびブッシュ９４の外径寸法Ｒ２のそれぞれに比べて大きく設定されており、ユニットケース５４の右取付片９２はブッシュヘッド９５に後方から係合することに基づいてブッシュ９４から前方に外れることが防止される。このブッシュヘッド９５には円形状のネジ挿入孔９６が形成されている。このネジ挿入孔９６内には前方からネジ９７が挿入されており、ブッシュ９４はネジ９７を右ケース支持部５１の右ボス部８７の内周面に螺合することに基づいて右ボス部８７に固定されている。
【００４３】
ブッシュ９４は、図５に示すように、ネジ９７を介して右ケース支持部５１の右ボス部８３に固定された状態で右ケース支持部５１に前方から接触するものである。このブッシュ９４の前後方向の長さ寸法Ｌ１は右取付片９２の前後方向の長さ寸法Ｌ２に比べて大きく設定されており、ブッシュ９４の組付け状態ではブッシュヘッド９５および右取付片９２相互間に右ケース支持部５１の右ボス部８７が表示台枠カバー３７の成形時の反りで前方へ変位することを許容する隙間が形成され、右ケース支持部５１および右取付片９２相互間に右ケース支持部５１の右ボス部８７が表示台枠カバー３７の成形時の反りで後方へ変位することを許容する隙間が形成されている。演出ユニット５２は以上のように構成されている。
【００４４】
上記実施例１によれば次の効果を奏する。
表示台枠カバー３７の成形時の反りに起因して左ケース支持部５０および右ケース支持部５１相互間の位置関係が左右方向へずれた場合にはブッシュ９４の位置がブッシュ９４の外周面およびブッシュ挿入口９３の内周面相互間の隙間の範囲内で目標位置からずれることに基づいて表示台枠カバー３７の左右方向の反りが吸収され、表示台枠カバー３７の成形時の反りに起因して左ケース支持部５０および右ケース支持部５１相互間の位置関係が前後方向へずれた場合にはブッシュ９４の位置が右取付片９２およびブッシュヘッド９５相互間の隙間の範囲内または右取付片９２および右ケース支持部５１相互間の隙間の範囲内で目標位置からずれることに基づいて表示台枠カバー３７の前後方向の反りが吸収されるので、いずれの場合にも表示台枠カバー３７を弾性的に撓ませることに基づいてユニットケース５４を左ケース支持部５０および右ケース支持部５１のそれぞれに無理に固定する必要性が乏しくなる。従って、表示台枠カバー３７の弾性復元力がユニットケース５４から駆動機構９８のシャフト６４と左アーム６５と右アーム６６とスライドプレート７２と左カムピン７７と右カムピン７８と左カム溝８０と右カム溝８２のそれぞれに伝わり難くなるので、シャフト６４〜右カム溝８２のそれぞれに動作方向とは異なる異方向の無理な応力が作用することことに基づいて装飾部材５３の円滑な動きが阻害されることを防止できる。
【００４５】
ユニットケース５４のブッシュ挿入口９３の上下方向の幅寸法Ｗ２および表示台枠カバー３７のブッシュ９４の外径寸法Ｒ２のそれぞれを相互に同一値に設定したので、表示台枠カバー３７の成形時の反りに影響されることなくユニットケース５５の表示台枠カバー３７に対する上下方向の位置が一定化される。このため、図柄表示器４３および装飾部材５３相互間の位置関係が一定化されるので、装飾部材５３が目標位置に対して図柄表示器４３の表示領域４４側へ出っ張ることに基づいて装飾図柄遊技の映像が見難くなることが防止される。
【００４６】
上記実施例１においては、表示台枠カバー３７の左板部３８または右板部３９または上板部４０にケース収納部４９を形成し、演出ユニット５２を左板部３８のケース収納部４９内または右板部３９のケース収納部４９内または上板部４０のケース収納部４９内に固定しても良い。
【００４７】
上記実施例１においては、ブッシュ９４をブッシュ９４の内周面および右ボス部８７の外周面相互間の摩擦力で右ボス部８７に固定する構成としても良い。即ち、ネジ９７を廃止しても良い。
【００４８】
上記実施例１においては、右取付片９２およびブッシュヘッド９５相互間のみに隙間が形成されるようにブッシュ９４の前後方向の長さ寸法Ｌ１を右取付片９２の前後方向の長さ寸法Ｌ２に比べて大きく設定しても良い。
【００４９】
上記実施例１においては、右取付片９２および右ケース支持部５１相互間のみに隙間が形成されるようにブッシュ９４の前後方向の長さ寸法Ｌ１を右取付片９２の前後方向の長さ寸法Ｌ２に比べて大きく設定しても良い。
【００５０】
上記実施例１においては、ユニットケース５４の右端部を表示台枠カバー３７の右ケース支持部５１に移動不能に固定し、ユニットケース５４の左端部を表示台枠カバー３７の左ケース支持部５０にブッシュ９４を介して左右方向および前後方向のそれぞれに変位可能に固定しても良い。
【実施例２】
【００５１】
演出ユニット５２のユニットケース５４には、図８に示すように、左取付片８８に換えて左取付片１０１が形成されており、左取付片１０１にはブッシュ挿入口９３が形成されている。この左取付片１０１のブッシュ挿入口９３は右取付片９２のブッシュ挿入口９３に対して９０度傾斜するものであり、幅寸法が大きな長手方向が上下方向へ指向し、幅寸法が小さな短手方向が左右方向へ指向している。この左取付片１０１のブッシュ挿入口９３内には後方から円筒状の左ボス部が挿入されており、左ボス部の外周面には前方からブッシュ９４が嵌合されている。この左ボス部は表示台枠カバー３７の左ケース支持部５０に形成されたものであり、左取付片１０１内のブッシュ９４は前方からブッシュ９４のブッシュヘッド９５を通して左ボス部の内周面にネジ９７を螺合することに基づいて左ボス部に固定されている。この左取付片１０１内のブッシュ９４の外径寸法は左取付片１０１のブッシュ挿入口９３の上下方向の幅寸法に比べて小さく設定されており、左取付片１０１内のブッシュ９４の外周面および左取付片１０１のブッシュ挿入口９３の内周面相互間には隙間が形成されている。
【００５２】
上記実施例２によれば次の効果を奏する。
表示台枠カバー３７の成形時の反りに起因して左ケース支持部５０および右ケース支持部５１相互間の位置関係が上下方向へずれた場合には左取付片１０１内のブッシュ９４の位置がブッシュ９４の外周面およびブッシュ挿入口９３の内周面相互間の隙間の範囲内で目標位置からずれることに基づいて表示台枠カバー３７の上下方向の反りが吸収されるので、表示台枠カバー３７を弾性的に撓ませることに基づいてユニットケース５４を左ケース支持部５０および右ケース支持部５１のそれぞれに無理に固定する必要性が乏しくなる。このため、表示台枠カバー３７からユニットケース５４を通して駆動機構９８に無理な応力が作用することが防止されるので、装飾部材５３の円滑な動きが表示台枠カバー３７の反りの影響で阻害されることを防止できる。
【００５３】
上記実施例２においては、右取付片９２内のブッシュ９４の前後方向の長さ寸法Ｌ１を右取付片９２の前後方向の長さ寸法Ｌ２と同一値に設定しても良い。この構成の場合、左取付片１０１内のブッシュ９４の前後方向の長さ寸法を左取付片１０１の前後方向の長さ寸法に比べて大きく設定し、左取付片１０１および左取付片１０１内のブッシュ９４のブッシュヘッド９５相互間または左取付片１０１および左ケース支持部５０相互間に隙間を形成すると良い。
【００５４】
上記実施例２には次の［その他発明］が記載されている。
［その他発明］
遊技球が転動することが可能な遊技領域を有する遊技盤と、
前記遊技盤に設けられ、前記遊技盤の遊技領域内を転動する遊技球が入球することが可能な始動口と、
前記遊技盤に設けられ、前記遊技盤の遊技領域内を転動する遊技球が入球することが可能な開放状態および入球することが不能な閉鎖状態相互間で切換えられる可変入球口と、
遊技球が前記始動口に入球することに基づいて前記可変入球口を開放状態にする大当りであるか否かを判定するメイン制御回路と、
前記遊技盤に設けられ、左板部と右板部と上板部と下板部を有するものであって左板部と右板部と上板部と下板部相互間に開口部が形成された合成樹脂製の支持枠と、
前記遊技盤に前記支持枠の前方に位置して設けられ、前記支持枠の開口部に前方から対向する開口部を有する装飾枠と、
前記メイン制御回路の判定結果を遊技者に報知する図柄遊技の映像が表示される表示領域を有するものであって、表示領域が前方から前記装飾枠の開口部を通して視覚的に認識可能となるように前記支持枠に支持された図柄表示器と、
前記支持枠の左板部と右板部と上板部と下板部のいずれかに設けられ、隙間を介して相互に対向する第１のケース支持部および第２のケース支持部のそれぞれを前記支持枠の左板部と右板部と上板部と下板部のいずれかに形成する開口部からなるケース収納部と、
前記ケース収納部内に設けられ、複数の機械要素を相互に連結してなる駆動機構を支持するケースと、
前記駆動機構に駆動力を伝える電気的な駆動源と、
前記駆動源が前記駆動機構を介して動作させるものであって、前方から前記装飾枠の開口部を通して視覚的に認識可能となるように配置された可動部材と、
前記支持枠の第１のケース支持部に設けられ、前後方向へ指向する第１の軸部と、
前記支持枠の第２のケース支持部に設けられ、前後方向へ指向する第２の軸部と、
前後方向へ指向する円筒状をなすものであって、前記第１の軸部の外周面に嵌合された第１のブッシュと、
前後方向へ指向する円筒状をなすものであって、前記第２の軸部の外周面に嵌合された第２のブッシュと、
前記第１のブッシュに前記支持枠の第１のケース支持部とは反対側の一端部に位置して設けられ、前記第１のブッシュの外周面から突出する第１のブッシュヘッドと、
前記第２のブッシュに前記支持枠の第２のケース支持部とは反対側の一端部に位置して設けられ、前記第２のブッシュの外周面から突出する第２のブッシュヘッドと、
前記ケースに設けられ、前記第１のブッシュが挿入された貫通孔状の第１のブッシュ挿入口を有するものであって前記第１のブッシュヘッドに係合することに基づいて前記第１のブッシュから抜止めされる第１の取付片と、
前記ケースに設けられ、前記第２のブッシュが挿入された貫通孔状の第２のブッシュ挿入口を有するものであって前記第２のブッシュヘッドに係合することに基づいて前記第２のブッシュから抜止めされる第２の取付片を備え、
前記第１のブッシュ挿入口は前記第１のケース支持部および前記第２のケース支持部相互間の配列方向に対して平行な長手方向の幅寸法が前記第１のケース支持部および前記第２のケース支持部相互間の配列方向に対して垂直な短手方向の幅寸法に比べて大きな長孔状をなすものであり、
前記第２のブッシュ挿入口は前記第１のケース支持部および前記第２のケース支持部相互間の配列方向に対して平行な短手方向の幅寸法が前記第１のケース支持部および前記第２のケース支持部相互間の配列方向に対して垂直な長手方向の幅寸法に比べて小さな長孔状をなすものであり、
前記第１のブッシュは前記第１のブッシュの外周面および前記第１のブッシュ挿入口の内周面相互間に隙間が形成されるように外径寸法が前記第１のブッシュ挿入口の長手方向の幅寸法に比べて小さく設定されたものであり、
前記第２のブッシュは前記第２のブッシュの外周面および前記第２のブッシュ挿入口の内周面相互間に隙間が形成されるように外径寸法が前記第２のブッシュ挿入口の長手方向の幅寸法に比べて小さく設定されたものであり、
前記第１のブッシュは前記第１の取付片および前記第１のブッシュヘッド相互間または前記第１の取付片および前記第１のケース支持部相互間に隙間が形成されるように前後方向の長さ寸法が前記第１の取付片の前後方向の長さ寸法に比べて大きく設定、あるいは、前記第２のブッシュは前記第２の取付片および前記第２のブッシュヘッド相互間または前記第２の取付片および前記第２のケース支持部相互間に隙間が形成されるように前後方向の長さ寸法が前記第２の取付片の前後方向の長さ寸法に比べて大きく設定されたものであることを特徴とするパチンコ遊技機。
【図面の簡単な説明】
【００５５】
【図１】実施例１を示す図（パチンコ遊技機を前方から示す図）
【図２】パチンコ遊技機を前枠の除去状態で前方から示す図
【図３】遊技盤を前方から示す図
【図４】表示台枠カバーを前方から示す図
【図５】（ａ）は図４のＸａ線に沿う断面図、（ｂ）は図４のＸｂ線に沿う断面図、（ｃ）はＸｃ部を拡大して示す断面図、（ｄ）はＸｄ部を拡大して示す断面図
【図６】ユニットカバーを前方から示す斜視図
【図７】ユニットカバーを後方から示す斜視図
【図８】実施例２を示す図（ユニットケースを前方から示す図）
【符号の説明】
【００５６】
２２は遊技盤、２７は遊技領域、２９は始動口、３０は特別入賞口（可変入球口）、３４は表示台枠（装飾枠）、３５は開口部、３７は表示台枠カバー（支持枠）、３８は左板部、３９は右板部、４０は上板部、４１は下板部、４２は開口部、４３は図柄表示器、４４は表示領域、４９はケース収納部、５０は左ケース支持部（ケース支持部）、５１は右ケース支持部（ケース支持部）、５３は装飾部材（可動部材）、５４はユニットケース（ケース）、５８は電磁ソレノイド（駆動源）、６４はシャフト（機械要素）、６５は左アーム（機械要素）、６６は右アーム（機械要素）、７２はスライドプレート（機械要素）、７７は左カムピン（機械要素）、７８は右カムピン（機械要素）、８０は左カム溝（機械要素）、８２は右カム溝（機械要素）、８７は右ボス部（軸部）、９２は右取付片（取付片）、９３はブッシュ挿入口、９４はブッシュ、９５はブッシュヘッド、９８は駆動機構を示している。
【図１】
2009233136.tif 000003
【図２】
2009233136.tif 000004
【図３】
2009233136.tif 000005
【図４】
2009233136.tif 000006
【図５】
2009233136.tif 000007
【図６】
2009233136.tif 000008
【図７】
2009233136.tif 000009
【図８】
2009233136.tif 000010